(57)【特許請求の範囲】
【請求項１】
体脂肪測定装置であって、
前記体脂肪測定装置は、本体部、測定部、電流印加用電極対、電圧測定用電極対、および、制御部を有し、
前記本体部は、被測定体に固定するための構造、または、測定者が保持するための構造を有し、前記測定部に取り付けられ、
前記測定部の高さ方向の寸法は、前記被測定体の胸骨下端部を通過し、かつ、前記被測定体の体幹軸が直交する面である胸骨面と、前記被測定体の腸骨稜部を通過し、かつ、前記被測定体の体幹軸が直交する面である腰骨面との間の寸法に対応し、
前記電流印加用電極対は、前記測定部のうちの前記被測定体の腹部に対応する部分に取り付けられ、第１の電流印加用電極および第２の電流印加用電極を含み、
前記第１の電流印加用電極および前記第２の電流印加用電極は、前記測定部の高さ方向の位置、および、前記測定部において前記被測定体の腹囲に対応する方向の位置が互いに異なり、
前記第１の電流印加用電極および前記第２の電流印加用電極の一方は、前記測定部のうちの上側端部に取り付けられ、
前記第１の電流印加用電極および前記第２の電流印加用電極の他方は、前記測定部のうちの下側端部に取り付けられ、
前記電圧測定用電極対は、前記測定部のうちの前記被測定体の腹部に対応する部分であって、前記被測定体の体幹軸と平行して前記第１の電流印加用電極を通過する第１基準線と、前記被測定体の体幹軸と平行して前記第２の電流印加用電極を通過する第２基準線との間の部分に取り付けられ、第１の電圧測定用電極および第２の電圧測定用電極を含み、
前記制御部は、前記電流印加用電極対および前記電圧測定用電極対と接続され、前記電流印加用電極対に電流を出力させ、前記電圧測定用電極対から入力された電圧値に基づいて体脂肪量を算出する
体脂肪測定装置。
【請求項２】
前記第１の電流印加用電極および前記第２の電流印加用電極の一方は、前記測定部のうちの前記被測定体の右半身および左半身の一方に対応する部分、かつ、前記測定部のうちの前記上側端部に取り付けられ、
前記第１の電流印加用電極および前記第２の電流印加用電極の他方は、前記測定部のうちの前記被測定体の右半身および左半身の他方に対応する部分、かつ、前記測定部のうちの前記下側端部に取り付けられている
請求項１に記載の体脂肪測定装置。
【請求項３】
体脂肪測定装置であって、
前記体脂肪測定装置は、本体部、測定部、電流印加用電極対、電圧測定用電極対、および、制御部を有し、
前記本体部は、被測定体に固定するための構造、または、測定者が保持するための構造を有し、前記測定部に取り付けられ、
前記電流印加用電極対は、前記測定部のうちの前記被測定体の腹部に対応する部分に取り付けられ、第１の電流印加用電極および第２の電流印加用電極を含み、
前記第１の電流印加用電極および前記第２の電流印加用電極は、前記測定部の高さ方向の位置、および、前記測定部において前記被測定体の腹囲に対応する方向の位置が互いに異なり、
前記電圧測定用電極対は、前記測定部のうちの前記被測定体の腹部に対応する部分であって、前記被測定体の体幹軸と平行して前記第１の電流印加用電極を通過する第１基準線と、前記被測定体の体幹軸と平行して前記第２の電流印加用電極を通過する第２基準線との間の部分に取り付けられ、第１の電圧測定用電極および第２の電圧測定用電極を含み、
前記第１の電流印加用電極、前記第２の電流印加用電極、前記第１の電圧測定用電極、および、前記第２の電圧測定用電極は、前記測定部において直線的に配置され、
前記制御部は、前記電流印加用電極対および前記電圧測定用電極対と接続され、前記電流印加用電極対に電流を出力させ、前記電圧測定用電極対から入力された電圧値に基づいて体脂肪量を算出する
体脂肪測定装置。
【請求項４】
体脂肪測定装置であって、
前記体脂肪測定装置は、本体部、測定部、電流印加用電極対、電圧測定用電極対、および、制御部を有し、
前記本体部は、被測定体に固定するための構造、または、測定者が保持するための構造を有し、
前記電流印加用電極対は、前記測定部のうちの前記被測定体の腹部に対応する部分に取り付けられ、第１の電流印加用電極および第２の電流印加用電極を含み、
前記第１の電流印加用電極および前記第２の電流印加用電極は、前記測定部の高さ方向の位置、および、前記測定部において前記被測定体の腹囲に対応する方向の位置が互いに異なり、
前記電圧測定用電極対は、前記測定部のうちの前記被測定体の腹部に対応する部分であって、前記被測定体の体幹軸と平行して前記第１の電流印加用電極を通過する第１基準線と、前記被測定体の体幹軸と平行して前記第２の電流印加用電極を通過する第２基準線との間の部分に取り付けられ、第１の電圧測定用電極および第２の電圧測定用電極を含み、
前記制御部は、前記電流印加用電極対および前記電圧測定用電極対と接続され、前記電流印加用電極対に電流を出力させ、前記電圧測定用電極対から入力された電圧値のみに基づいて体脂肪量を算出する
体脂肪測定装置。
【請求項５】
前記体脂肪測定装置は、複数の前記電圧測定用電極対を有し、
前記複数の電圧測定用電極対は、前記測定部の高さ方向に並べて配置されている
請求項１〜４のいずれか一項に記載の体脂肪測定装置。
【請求項６】
前記電流印加用電極対は、前記第１の電流印加用電極および前記第２の電流印加用電極に加えて第３の電流印加用電極を含み、
前記第１の電流印加用電極および前記第２の電流印加用電極は、電流印加用電極対Ａを構成し、
前記第１の電流印加用電極および前記第３の電流印加用電極は、電流印加用電極対Ｂを構成している
請求項１〜５のいずれか一項に記載の体脂肪測定装置。
【請求項７】
前記体脂肪測定装置は、可動部を有し、
前記電圧測定用電極対は、前記可動部に取り付けられ、
前記可動部は、前記測定部に対して変位する構造を有している
請求項１〜６のいずれか一項に記載の体脂肪測定装置。
【請求項８】
前記体脂肪測定装置は、目印部を有し、
前記目印部は、前記測定部のうちの臍、腰骨、もしくは、背骨と対応する部分、または、前記臍、腰骨、もしくは、背骨と対応する部分から所定の距離を隔てた部分に形成されている
請求項１〜７のいずれか一項に記載の体脂肪測定装置。
【請求項９】
前記体脂肪測定装置は、表示部を有し、
前記表示部は、前記制御部と接続され、前記制御部の演算結果に基づいて体脂肪の三次元的な分布を表示する
請求項１〜８のいずれか一項に記載の体脂肪測定装置。
【発明の詳細な説明】
【技術分野】
【０００１】
本発明は、複数の電極対を有する体脂肪測定装置に関する。
【背景技術】
【０００２】
特許文献１の体脂肪測定装置では、図５（ａ）に示される被測定体７０の周上に電極を配置して体脂肪８０を測定している。このため、同断面における皮下脂肪８１及び内臓脂肪８２を測定することができる。
【先行技術文献】
【特許文献】
【０００３】
【特許文献１】特開平２００２−３６９８０６号公報
【発明の概要】
【発明が解決しようとする課題】
【０００４】
一方、図５（ｂ）に示されるように体脂肪８０は実際には三次元的な分布をしている。このため、被測定体７０の周上に電極を配置する上記体脂肪測定装置によれば測定断面の体脂肪を反映した測定結果しか得られず、体脂肪の体積を正確に測定することが難しい。
【０００５】
本発明は、体脂肪の体積を正確に測定することに貢献する体脂肪測定装置を提供することを目的としている。
【課題を解決するための手段】
【０００６】
〔１〕本体脂肪測定装置の独立した一形態は、次の事項を有する。前記体脂肪測定装置は、本体部、測定部、電流印加用電極対、電圧測定用電極対、および、制御部を有し、前記本体部は、被測定体に固定するための構造、または、測定者が保持するための構造を有し、前記測定部に取り付けられ、前記測定部の高さ方向の寸法は、前記被測定体の胸骨下端部を通過し、かつ、前記被測定体の体幹軸が直交する面である胸骨面と、前記被測定体の腸骨稜部を通過し、かつ、前記被測定体の体幹軸が直交する面である腰骨面との間の寸法に対応し、前記電流印加用電極対は、前記測定部のうちの前記被測定体の腹部に対応する部分に取り付けられ、第１の電流印加用電極および第２の電流印加用電極を含み、前記第１の電流印加用電極および前記第２の電流印加用電極は、前記測定部の高さ方向の位置、および、前記測定部において前記被測定体の腹囲に対応する方向の位置が互いに異なり、前記第１の電流印加用電極および前記第２の電流印加用電極の一方は、前記測定部のうちの上側端部に取り付けられ、前記第１の電流印加用電極および前記第２の電流印加用電極の他方は、前記測定部のうちの下側端部に取り付けられ、前記電圧測定用電極対は、前記測定部のうちの前記被測定体の腹部に対応する部分であって、前記被測定体の体幹軸と平行して前記第１の電流印加用電極を通過する第１基準線と、前記被測定体の体幹軸と平行して前記第２の電流印加用電極を通過する第２基準線との間の部分に取り付けられ、第１の電圧測定用電極および第２の電圧測定用電極を含み、前記制御部は、前記電流印加用電極対および前記電圧測定用電極対と接続され、前記電流印加用電極対に電流を出力させ、前記電圧測定用電極対から入力された電圧値に基づいて体脂肪量を算出する。
〔２〕前記体脂肪測定装置に従属する一形態は、次の事項を有する。前記第１の電流印加用電極および前記第２の電流印加用電極の一方は、前記測定部のうちの前記被測定体の右半身および左半身の一方に対応する部分、かつ、前記測定部のうちの前記上側端部に取り付けられ、前記第１の電流印加用電極および前記第２の電流印加用電極の他方は、前記測定部のうちの前記被測定体の右半身および左半身の他方に対応する部分、かつ、前記測定部のうちの前記下側端部に取り付けられている。
〔３〕本体脂肪測定装置の独立した別の一形態は、次の事項を有する。前記体脂肪測定装置は、本体部、測定部、電流印加用電極対、電圧測定用電極対、および、制御部を有し、前記本体部は、被測定体に固定するための構造、または、測定者が保持するための構造を有し、前記測定部に取り付けられ、前記電流印加用電極対は、前記測定部のうちの前記被測定体の腹部に対応する部分に取り付けられ、第１の電流印加用電極および第２の電流印加用電極を含み、前記第１の電流印加用電極および前記第２の電流印加用電極は、前記測定部の高さ方向の位置、および、前記測定部において前記被測定体の腹囲に対応する方向の位置が互いに異なり、前記電圧測定用電極対は、前記測定部のうちの前記被測定体の腹部に対応する部分であって、前記被測定体の体幹軸と平行して前記第１の電流印加用電極を通過する第１基準線と、前記被測定体の体幹軸と平行して前記第２の電流印加用電極を通過する第２基準線との間の部分に取り付けられ、第１の電圧測定用電極および第２の電圧測定用電極を含み、前記第１の電流印加用電極、前記第２の電流印加用電極、前記第１の電圧測定用電極、および、前記第２の電圧測定用電極は、前記測定部において直線的に配置され、前記制御部は、前記電流印加用電極対および前記電圧測定用電極対と接続され、前記電流印加用電極対に電流を出力させ、前記電圧測定用電極対から入力された電圧値に基づいて体脂肪量を算出する。
〔４〕本体脂肪測定装置の独立した別の一形態は、次の事項を有する。前記体脂肪測定装置は、本体部、測定部、電流印加用電極対、電圧測定用電極対、および、制御部を有し、前記本体部は、被測定体に固定するための構造、または、測定者が保持するための構造を有し、前記電流印加用電極対は、前記測定部のうちの前記被測定体の腹部に対応する部分に取り付けられ、第１の電流印加用電極および第２の電流印加用電極を含み、前記第１の電流印加用電極および前記第２の電流印加用電極は、前記測定部の高さ方向の位置、および、前記測定部において前記被測定体の腹囲に対応する方向の位置が互いに異なり、前記電圧測定用電極対は、前記測定部のうちの前記被測定体の腹部に対応する部分であって、前記被測定体の体幹軸と平行して前記第１の電流印加用電極を通過する第１基準線と、前記被測定体の体幹軸と平行して前記第２の電流印加用電極を通過する第２基準線との間の部分に取り付けられ、第１の電圧測定用電極および第２の電圧測定用電極を含み、前記制御部は、前記電流印加用電極対および前記電圧測定用電極対と接続され、前記電流印加用電極対に電流を出力させ、前記電圧測定用電極対から入力された電圧値のみに基づいて体脂肪量を算出する。
〔５〕前記体脂肪測定装置に従属する一形態は、次の事項を有する。前記体脂肪測定装置は、複数の前記電圧測定用電極対を有し、前記複数の電圧測定用電極対は、前記測定部の高さ方向に並べて配置されている。
〔６〕前記体脂肪測定装置に従属する一形態は、次の事項を有する。前記電流印加用電極対は、前記第１の電流印加用電極および前記第２の電流印加用電極に加えて第３の電流印加用電極を含み、前記第１の電流印加用電極および前記第２の電流印加用電極は、電流印加用電極対Ａを構成し、前記第１の電流印加用電極および前記第３の電流印加用電極は、電流印加用電極対Ｂを構成している。
〔７〕前記体脂肪測定装置に従属する一形態は、次の事項を有する。前記体脂肪測定装置は、可動部を有し、前記電圧測定用電極対は、前記可動部に取り付けられ、前記可動部は、前記測定部に対して変位する構造を有している。
〔８〕前記体脂肪測定装置に従属する一形態は、次の事項を有する。前記体脂肪測定装置は、目印部を有し、前記目印部は、前記測定部のうちの臍、腰骨、もしくは、背骨と対応する部分、または、前記臍、腰骨、もしくは、背骨と対応する部分から所定の距離を隔てた部分に形成されている。
〔９〕前記体脂肪測定装置に従属する一形態は、次の事項を有する。前記体脂肪測定装置は、表示部を有し、前記表示部は、前記制御部と接続され、前記制御部の演算結果に基づいて体脂肪の三次元的な分布を表示する。
【発明の効果】
【００３０】
本体脂肪測定装置は、体脂肪の体積を正確に測定することに貢献する。
【図面の簡単な説明】
【００３１】
【図１】第１実施形態の体脂肪測定装置のブロック図。
【図２】（ａ）第１実施形態の体脂肪測定装置の背面図。（ｂ）体脂肪測定装置の正面図。
【図３】第１実施形態の体脂肪測定装置および被測定体の正面図。
【図４】第１実施形態の体脂肪測定装置および被測定体の正面図。。
【図５】（ａ）人体腹部の体脂肪分布の一例を示す断面図。（ｂ）人体腹部の体脂肪分布の一例を示す斜視図。
【図６】第１実施形態の電極および被測定体の関係を示す模式図。
【図７】第２実施形態の電極および被測定体の関係を示す模式図。
【図８】第３実施形態の電極および被測定体の関係を示す模式図。
【図９】第４実施形態の電極および被測定体の関係を示す模式図。
【図１０】第５実施形態の電極および被測定体の関係を示す模式図。
【図１１】第６実施形態の電極および被測定体の関係を示す模式図。
【図１２】第７実施形態の電極および被測定体の関係を示す模式図。
【図１３】（ａ）第８実施形態の体脂肪測定装置の背面図。（ｂ）配置部に電極が取り付けられた状態の一例を示す背面図。（ｃ）配置部に電極が取り付けられた状態の別の一例を示す背面図。
【図１４】第１実施形態の変形例における電極および被測定体の関係を示す模式図。
【図１５】第２実施形態の変形例における電極および被測定体の関係を示す模式図。
【発明を実施するための形態】
【００３２】
（第１実施形態）
図１〜図６を参照して、本発明の第１実施形態について説明する。
図１に示されるように、体脂肪測定装置１０は、体脂肪の測定を行う測定部２０と、当該装置１０を測定対象に巻き付けて固定するためのベルト部１１とを含めて構成されている。
【００３３】
測定部２０は、測定対象（図３の被測定体７０）に電流を印加して電圧を検出する検出部２１と、体脂肪測定に必要な情報を入力するための操作部２２と、各種情報を測定者に提示する表示部２３と、検出部２１の測定結果に基づく演算等を行う制御部５０とを含めて構成されている。
【００３４】
検出部２１は、測定対象に電流を印加する電流印加用電極対３１と、測定対象の電圧を測定する電圧測定用電極対４１とを備えている。電流印加用電極対３１は、２つの電流印加用電極３１Ａ，３１Ｂにより構成されている。電圧測定用電極対４１は、２つの電圧測定用電極４１Ａ，４１Ｂにより構成されている。電流印加用電極３１Ａ，３１Ｂ及び電圧測定用電極４１Ａ，４１Ｂはそれぞれ信号の伝達が可能な伝達線２４により制御部５０に接続されている。
【００３５】
測定者が操作部２２を操作して体脂肪の測定が開始されたとき、制御部５０は電流印加用電極対３１による電流の印加を開始する。そして、電圧測定用電極対４１により検出された電圧値が制御部５０に送信される。制御部５０は、測定された電圧値及び操作部２２を介して入力された各種値等に基づいて、体脂肪量、特に内臓脂肪の体積を算出する。算出された体脂肪量は表示部２３に表示される。具体的には、測定された電圧値及び、測定者により操作部２２を介して入力された腹囲、年齢、性別などのその他任意のパラメータを用いたアルゴリズムから、内臓脂肪の分布を三次元画像として表示する。
【００３６】
図２を参照して、体脂肪測定装置１０の構造について説明する。図２（ａ）では、体脂肪測定装置１０の検出部２１が設けられるとともに測定対象に巻きつけられた状態で測定対象と対向するベルト部１１の背面１１Ａを示している。また、図２（ｂ）では、背面１１Ａとは異なるベルト部１１の前面１１Ｂを示している。また、体脂肪測定装置１０の長手方向を「横方向Ｘ」とする。被測定体７０に巻きつけられた状態において右半身側を右側とするとともに左半身側を左側とする。また、横方向Ｘと垂直な短手方向を「縦方向Ｙ」とする。被測定体７０に巻きつけられた状態において頭頂側を上側とするとともに爪先側を下側とする。
【００３７】
図２に示されるように、体脂肪測定装置１０は、測定対象に対して密着して巻きつけるためのベルト部１１を備えている。ベルト部１１は、測定部２０の横方向Ｘの両側に設けられている。
【００３８】
測定部２０には、電極面が露出した状態で電流印加用電極対３１及び電圧測定用電極対４１が設けられている。電極材としては、ＳＵＳ及び樹脂材表面を金属めっき処理したものが用いられている。また、測定部２０には体脂肪測定装置１０に用いられる電源が内蔵されている。体脂肪測定装置１０のベルト部１１の前面１１Ｂには、測定者が測定部２０を測定対象に取り付けるときの目印となる２つの目印部１２と、操作部２２の操作ボタンと、表示部２３のディスプレイとが設けられている。
【００３９】
目印部１２の一方である目印部１２Ａは、横方向Ｘにおいて測定部２０の中央、かつ縦方向Ｙにおいて上側端部に設けられている。他方の目印部１２Ｂは測定部２０の下側端部、かつ左側端部に設けられている。
【００４０】
背面１１Ａの右側端部及び前面１１Ｂの左側端部にはファスナ１３が設けられている。測定者は、ベルト部１１を測定対象に巻きつけた後に前面１１Ｂ及び背面１１Ａのファスナ１３を互いに貼り合わせることにより、体脂肪測定装置１０を測定対象に固定することができる。
【００４１】
各電流印加用電極３１Ａ，３１Ｂ及び各電圧測定用電極４１Ａ，４１Ｂは、測定部２０の上側かつ左側の端部から下側かつ右側の端部にかけて電極３１Ａ及び電極４１Ａ及び電極４１Ｂ及び３１Ｂの順に一直線上かつ等間隔に配置されている。
【００４２】
前面１１Ｂ側から見た各電極の詳細な配置箇所のまとめを以下に示す。
・電極３１Ａは、横方向Ｘの位置が測定部２０の左側端部に設定され、かつ縦方向Ｙの位置が測定部２０の上側端部に設定されている。
・電極３１Ｂは、横方向Ｘの位置が測定部２０の右側端部に設定され、かつ縦方向Ｙの位置が測定部２０の下側端部に設定されている。
・電極４１Ａは、横方向Ｘの位置が電極３１Ａと電極３１Ｂとの間において電極３１Ａ寄りに設定され、かつ縦方向Ｙの位置が電極３１Ａと電極３１Ｂとの間において電極３１Ａ寄りに設定されている。
・電極４１Ｂは、横方向Ｘの位置が電極３１Ａと電極３１Ｂとの間において電極４１Ａよりも左側に設定され、かつ縦方向Ｙの位置が電極３１Ａと電極３１Ｂとの間において電極４１Ａよりも下側に設定されている。
【００４３】
このように、各電圧測定用電極４１Ａ，４１Ｂは横方向Ｘにおいて各電流印加用電極３１Ａ，３１Ｂの間に配置されている。また、縦方向Ｙにおいても各電流印加用電極３１Ａ，３１Ｂの間に配置されている。
【００４４】
図３及び図４を参照して、体脂肪測定装置１０を測定対象としての被測定体７０に取り付けるときの手順を説明する。なお、図３は被測定体７０に対する測定部２０の位置あわせが行われた状態を、また図４はベルト部１１が被測定体７０に巻き付けられた状態をそれぞれ示している。
【００４５】
ここで、被測定体７０の体幹の長手方向に沿う軸線、すなわち被測定体７０が立位の姿勢にあるときに頭頂から地面に垂直にひかれる軸線を「体幹軸ＣＢ」とする。また、胸部７５の下端である胸骨下端部７６を通過し、かつ体幹軸ＣＢが垂直に交差する面を「胸骨面ＸＳ」とする。また、腰部７３の上端において腰骨が突出している腸骨稜部としての腰骨部７４を通過し、かつ体幹軸ＣＢが垂直に交差する面を「腰骨面ＸＨ」とする。なお、右半身及び左半身はそれぞれ胸骨下端部７６よりも右側及び左側の部分に相当する。
【００４６】
図３に示されるように、被測定体７０は立位の状態で腹部７１の表面にベルト部１１の背面１１Ａ（図２（ａ）参照）を当てる。このとき、目印部１２Ａの横方向Ｘの位置を胸骨下端部７６に合わせる。また、目印部１２Ａの縦方向Ｙの位置を胸骨面ＸＳ付近かつ同面ＸＳよりも下側に合わせる。また、目印部１２Ｂの横方向Ｘの位置を腰骨部７４に合わせる、また、目印部１２Ｂの縦方向Ｙの位置を腰骨面ＸＨ付近且つ面ＸＨよりも上側に合わせる。そして、ベルト部１１の横方向Ｘの両端部を背中側に回してファスナ１３によりベルト部１１を被測定体７０に固定する。
【００４７】
図４に示されるように、ベルト部１１が被測定体７０の腹部７１に巻きつけられたとき、電流印加用電極対３１及び電圧測定用電極対４１は被測定体７０の体表面に接触している。そして、この状態で測定者が操作部２２を操作することにより体脂肪の測定が開始される。
【００４８】
図５を参照して、体脂肪測定装置１０の被測定体７０の体脂肪８０の構造について説明する。図５（а）は被測定体７０の臍を通過する体幹軸ＣＢに対して垂直な断面の体脂肪８０の分布を、図５（ｂ）は被測定体７０の胸骨面ＸＳから腰骨面ＸＨまでの三次元的な体脂肪８０の分布をそれぞれ示している。なお、図５（ａ）においては皮下脂肪８１及び内臓脂肪８２を含めた体脂肪８０の分布をハッチングにより示している。図５（ｂ）においては内臓脂肪８２の分布をハッチングにより示している。
【００４９】
図５（ａ）に示されるように、被測定体７０の臍７２を通り体幹軸ＣＢに垂直な断面において、被測定体７０の体表面下には皮下脂肪８１が全周において層状に存在し、かつ前部７１Ａ及び背部７１Ｂにおいて皮下脂肪８１により厚みのある層が形成されている。一方、左脇腹７１Ｄ及び右脇腹７１Ｃにおいては比較的薄い皮下脂肪８１の層が形成されている。また、皮下脂肪８１の層と筋肉８３とを隔てた腹腔内の臓器の間には内臓脂肪８２が存在している。また同図に示されるように、体脂肪８０は背骨７７を中心に略左右対称となるように分布している。
【００５０】
図５（ｂ）に示されるように、被測定体７０の体脂肪８０は、体幹軸ＣＢに対して垂直な各断面で異なる。図中矢印で示されるように、内臓脂肪８２は、腹部７１の前部７１Ａの右側及び左側において特に多く分布している。
【００５１】
図６を参照して、被測定体７０に対する電流印加用電極対３１及び電圧測定用電極対４１の配置、並びに体脂肪８０の測定方法の概要について説明する。なお図６では、ベルト部１１を被測定体７０の腹部７１に巻きつけた状態において、被測定体７０の腹部７１を胸骨面ＸＳ及び腰骨面ＸＨで切り取った円筒形状として模式的に示している。
【００５２】
以下では、電流印加用電極３１Ａと電流印加用電極３１Ｂとを結ぶ線を「電極間線Ａ１」とする。また、電流印加用電極３１Ａを通り体幹軸ＣＢと平行な線を基準線ＬＡとする。また、電流印加用電極３１Ｂを通り体幹軸ＣＢと平行な線を基準線ＬＢとする。
【００５３】
電流印加用電極対３１は、体幹軸ＣＢを介して左半身及び右半身のそれぞれに設けられている。すなわち、電流印加用電極３１Ａは左脇腹７１Ｄ付近かつ胸骨面ＸＳの下側に配置されている。また、電流印加用電極３１Ｂは右脇腹７１Ｃ付近かつ腰骨面ＸＨの上側に配置されている。
【００５４】
ここで、腹部７１及び腰部７３まわりの体表面を背部７１Ｂの中央において体幹軸ＣＢと平行な線により切断し、これを平面上に展開した展開図を想定する。
上記展開図上において、電極間線Ａ１は体幹軸ＣＢに対して傾斜している。すなわち、電流印加用電極３１Ａ，３１Ｂは横方向Ｘ及び縦方向Ｙにおいて互いに異なる位置に設けられている。
【００５５】
上記展開図において基準線ＬＡと基準線ＬＢとの間を「電極間範囲Ｒ１」としたとき、電圧測定用電極対４１の配置は次のように説明することができる。
電圧測定用電極対４１は、上記展開図上において電極間範囲Ｒ１内に配置されている。すなわち、電圧測定用電極４１Ａ，４１Ｂは電極間範囲Ｒ１内に配置されている。また、各電極４１Ａ，４１Ｂは電極間線Ａ１上に配置されている。また、電圧測定用電極対４１の中間位置は電流印加用電極対３１の中間位置と一致している。
【００５６】
次に、体脂肪８０の測定態様について説明する。
電流印加用電極３１Ａから電流印加用電極３１Ｂに向けて流される電流は、体幹軸ＣＢに対して傾斜した態様で被測定体７０の内部を流れる。電流が被測定体７０の内部を流れる際に、被測定体７０の組成、皮下脂肪８１、内臓脂肪８２及び筋肉８３のそれぞれの抵抗値に基づいて電圧が変化する。
【００５７】
測定者の操作により体脂肪８０の測定が開始されたとき、各電流印加用電極３１Ａ，３１Ｂの間で電流が流されるとともに、この電流の電圧値が各電圧測定用電極４１Ａ，４１Ｂにより測定される。そして、測定された電圧値に基づいて各電極３１Ａ，３１Ｂの間、およびこれら電極３１Ａ，３１Ｂ付近の体脂肪８０の量として体脂肪８０の体積、特に内臓脂肪８２の体積が算出される。そして、この算出結果に基づいて表示部２３に体脂肪８０の体積、特に内臓脂肪８２の体積が表示される。
【００５８】
以上詳述したように、本実施形態によれば以下に示す効果を奏することができる。
（１）本実施形態では、被測定体７０の体幹軸ＣＢに対して傾斜する態様で電流印加用電極対３１が設けられ、電流印加用電極３１Ａと電流印加用電極３１Ｂとの間に電圧測定用電極対４１が設けられる。このため、被測定体７０を斜めに流れる電流の電圧を測定することになる。従って、体脂肪８０の体積を正確に測定することができる。また、電圧測定用電極対４１が電極３１Ａと電極３１Ｂとの間の外側に設けられた場合と比較して、電圧を感度良く検出することができる。
【００５９】
（２）本実施形態では、被測定体７０の左半身に電流印加用電極３１Ａが配置され、被測定体７０の右半身に電流印加用電極３１Ｂが配置されている。すなわち、電極対３１は被測定体７０の中心をまたいでいるため、左半身及び右半身の体脂肪８０の体積を反映した測定結果を得ることができる。
【００６０】
（３）本実施形態では、ベルト部１１に電流印加用電極対３１及び電圧測定用電極対４１が設けられている。このため、体脂肪８０の測定にあたり電流印加用電極対３１と電圧測定用電極対４１との位置関係、及び各電極の位置関係を体脂肪８０の測定毎に同じものにすることができる。
【００６１】
（４）本実施形態では、測定部２０を被測定体７０に固定するためのベルト部１１が設けられている。このため、測定者が測定部２０を手で保持しながら体脂肪８０の測定を行う場合に比べて被測定体７０に対する各電極対３１，４１の位置のずれを小さくすることができる。また、体脂肪８０の測定時に測定者が測定部２０を手で保持する必要がないため、測定者の負担を軽減することができる。
【００６２】
（５）本実施形態では、被測定体７０の腰骨部７４を基準として電流印加用電極対３１及び電圧測定用電極対４１の位置を設定するための目印部１２Ｂを備えている。従って、体脂肪８０の測定毎に測定位置が大きく異なることが抑制されるため、被測定体７０の同一部位についての体脂肪８０の経時的な変化を適切に測定することができるようになる。
【００６３】
（６）本実施形態では、電圧測定用電極対４１の測定電圧に基づいて皮下脂肪８１及び内臓脂肪８２を含む体脂肪８０の体積を算出する。このため、測定者が被測定体７０の各部位の体脂肪８０の体積を把握することができる。
【００６４】
（７）本実施形態では、電圧測定用電極対４１の測定電圧に基づいて皮下脂肪８１及び内臓脂肪８２を含む体脂肪８０の三次元的な分布を表示する表示部２３を備えている。このため、測定者は体脂肪８０の立体的な分布を視認することができる。
【００６５】
（８）本実施形態では、電流印加用電極３１Ａを胸骨面ＸＳの下側かつ左脇腹７１Ｄに配置し、電流印加用電極３１Ｂを腰骨面ＸＨの上かつ右脇腹７１Ｃに配置している。図５（ｂ）に示されるように、一般的に内臓脂肪８２は胸骨面ＸＳ付近から腰骨面ＸＨ付近にかけての範囲内（約２０ｃｍ）に多く分布している。このため、上記位置に電流印加用電極３１Ａ，３１Ｂを配置することにより、内臓脂肪８２の量がより反映された測定結果を得ることができる。
【００６６】
（第２実施形態）
図７を参照して、本発明の第２実施形態について説明する。
本実施形態では、第１実施形態の検出部２１の電圧測定用電極の配置を変更している。以下にこの変更された部分についての詳細を示す。なお、その他の点については第１実施形態と同様の構成が採用されているため、共通する構成については同一の符号を付してその説明を省略する。
【００６７】
図７に示されるように、電圧測定用電極対４２は電圧測定用電極４２Ａ，４２Ｂにより構成されている。電圧測定用電極対４２は、電極間範囲Ｒ１内において電極対４２の中間位置が電流印加用電極対３１の中間位置と一致するように配置されている。また、各電極４２Ａ，４２Ｂ間を結ぶ線が胸骨面ＸＳ及び腰骨面ＸＨに対して平行となるように配置されている。電極間線Ａ１は、電圧測定用電極４２Ａの上側及び電圧測定用電極４２Ｂの下側を通過する。
【００６８】
以上詳述したように、本実施形態によれば上記第１実施形態による体脂肪８０の体積を正確に測定することができる旨の効果、及び（２）〜（８）に準じた効果を奏することができる。
【００６９】
（第３実施形態）
図８を参照して、本発明の第３実施形態について説明する。
本実施形態では、第１実施形態の検出部２１の電流印加用電極及び電圧測定用電極の配置を変更している。以下にこの変更された部分についての詳細を示す。なお、その他の点については第１実施形態と同様の構成が採用されているため、共通する構成については同一の符号を付してその説明を省略する。
【００７０】
図８に示されるように、検出部２１は、２つの電流印加用電極対３２，３３及び２つの電圧測定用電極対４３，４４を含めて構成されている。
電流印加用電極対３２は、電極３２Ａ及び３２Ｂにより構成されている。電流印加用電極対３３は、電極３２Ａ及び３３Ｂにより構成されている。すなわち、電極３２Ａは２つの電極対３２，３３において共有されている。
【００７１】
電極３２Ａは、胸骨下端部７６付近において胸骨面ＸＳ付近かつ胸骨面ＸＳよりも下側に配置されている。電極３２Ｂは、右脇腹７１Ｃに近い背部７１Ｂ（一例として、背骨７７から１〜１０ｃｍの位置）かつ腰骨面ＸＨ付近かつ腰骨面ＸＨよりも上側に配置されている。電極３３Ｂは、左脇腹７１Ｄに近い背部７１Ｂ（一例として、背骨７７から１〜１０ｃｍの位置）かつ腰骨面ＸＨ付近かつ腰骨面ＸＨよりも上側に配置されている。
【００７２】
電圧測定用電極対４３は、右半身に配置される２つの電圧測定用電極４３Ａ，４３Ｂにより構成されている。電圧測定用電極対４４は、左半身に配置される２つの電圧測定用電極４４Ａ，４４Ｂにより構成されている。
【００７３】
以下では、電流印加用電極３２Ａと電流印加用電極３２Ｂとを結ぶ線を「電極間線Ａ２」とする。また、電流印加用電極３２Ａと電流印加用電極３３Ｂとを結ぶ線を「電極間線Ａ３」とする。また、電流印加用電極３２Ａを通り体幹軸ＣＢと平行な線を基準線ＬＣとする。また、電流印加用電極３２Ｂを通り体幹軸ＣＢと平行な線を基準線ＬＤとする。また、電流印加用電極３３Ｂを通り体幹軸ＣＢと平行な線を基準線ＬＥとする。
【００７４】
ここで、腹部７１及び腰部７３まわりの体表面を背部７１Ｂの中央において体幹軸ＣＢと平行な線により切断し、これを平面上に展開した展開図を想定する。
上記展開図上において、電極間線Ａ２，Ａ３はいずれも体幹軸ＣＢに対して傾斜している。すなわち、電流印加用電極３２Ａ，３２Ｂは横方向Ｘ及び縦方向Ｙにおいて互いに異なる位置に設けられている。また、電流印加用電極３２Ａ，３３Ｂも同様に横方向Ｘ及び縦方向Ｙにおいて互いに異なる位置に設けられている。また、電流印加用電極３２Ｂ，３３Ｂは、縦方向Ｙにおいて同じ位置、かつ臍７２との距離が同じものとなる位置に設けられている。これにより、電極３２Ｂ及び３３Ｂは、臍７２を中心に左右対称の位置関係にある。
【００７５】
上記展開図において基準線ＬＣと基準線ＬＤとの間を「電極間範囲Ｒ２」とし、基準線ＬＣと基準線ＬＥとの間を「電極間範囲Ｒ３」としたとき、電圧測定用電極対４３，４４の配置は次のように説明することができる。
【００７６】
電圧測定用電極対４３は、上記展開図上において電極間範囲Ｒ２内に配置されている。すなわち、電圧測定用電極４３Ａ及び電極４３Ｂはいずれも電極間範囲Ｒ２内に配置されている。また、電圧測定用電極対４３の中間位置は電流印加用電極対３２の中間位置と一致している。
【００７７】
電圧測定用電極対４４は、上記展開図上において電極間範囲Ｒ３内に配置されている。すなわち、電圧測定用電極４４Ａ及び電極４４Ｂはいずれも電極間範囲Ｒ３内に配置されている。また、電圧測定用電極対４４の中間位置は電流印加用電極対３３の中間位置と一致している。
【００７８】
測定者の操作により体脂肪８０の測定が開始されたとき、まず電流印加用電極対３２の間で電流が流され、次に電流印加用電極対３３の間で電流が流される。そして、電圧測定用電極対４３，４４により測定された電圧値に基づいて各電極３２Ａ，３２Ｂ，３３Ｂの間、およびこれら電極３２Ａ，３２Ｂ，３３Ｂ付近の体脂肪８０の量として体脂肪８０の体積が算出される。そして、この算出結果に基づいて表示部２３に体脂肪８０の体積が表示される。なお、電圧測定用電極対４３の測定電圧は右半身の体脂肪８０を大きく反映した値として、また電圧測定用電極対４４の測定電圧は左半身の体脂肪８０を大きく反映した値としてそれぞれ体脂肪８０の算出に用いられる。
【００７９】
以上詳述したように、本実施形態によれば上記各実施形態の（１）及び（３）〜（８）に準じた効果に加えて以下の効果を奏することができる。
（９）本実施形態では、電流印加用電極対３２及び電流印加用電極対３３が電流印加用電極３２Ａを共有している。従って、２つの電流印加用電極対を４つの電極で構成する場合と比べて、必要となる電極の数を１つ少なくすることができる。
【００８０】
（１０）図５に示されるように、内臓脂肪８２は右前方及び左前方部に多く分布している。本実施形態では、電極間範囲Ｒ２，Ｒ３がそれぞれ右半身及び左半身に配置しているため、左半身及び右半身についての内臓脂肪８２の量をより適切に測定することができる。このため、内臓脂肪８２の左右の相対的な多寡を推定することができる。すなわち、左半身と右半身との相対的な内臓脂肪量のバランスをみることができる。
【００８１】
（１１）本実施形態では、２つの電流印加用電極対３２，３３を備えている。これにより、電流を複数の方向に流すことができるため、体脂肪８０の測定精度を向上することができる。
【００８２】
（第４実施形態）
図９を参照して、本発明の第４実施形態について説明する。
本実施形態では、第１実施形態の検出部２１の電流印加用電極及び電圧測定用電極の配置を変更している。以下にこの変更された部分についての詳細を示す。なお、その他の点については第１実施形態と同様の構成が採用されているため、共通する構成については同一の符号を付してその説明を省略する。
【００８３】
図９に示されるように、検出部２１は、４つの電流印加用電極対３１，３４，３５，３６を含めて構成されている。
電流印加用電極対３１は、電流印加用電極３１Ａ，３１Ｂにより構成されている。電流印加用電極対３４は、電流印加用電極３４Ａ，３４Ｂにより構成されている。電流印加用電極対３５は、電流印加用電極３５Ａ，３５Ｂにより構成されている。電流印加用電極対３６は、電流印加用電極３６Ａ，３６Ｂにより構成されている。
【００８４】
電流印加用電極対３１は、左半身及び右半身のそれぞれに設けられている。すなわち、電流印加用電極３１Ａは左脇腹７１Ｄ付近かつ胸骨面ＸＳの下側に配置されている。また、電流印加用電極３１Ｂは右脇腹７１Ｃ付近かつ腰骨面ＸＨの上側に配置されている。
【００８５】
電流印加用電極対３４は、縦方向Ｙにおいて電流印加用電極対３１の内側に設けられている。すなわち、電流印加用電極３４Ａは左脇腹７１Ｄかつ胸骨面ＸＳの付近かつ電極３１Ａよりも下側に配置されている。また、電流印加用電極３４Ｂは右脇腹７１Ｃかつ腰骨面ＸＨの付近かつ電極３１Ｂよりも上側に配置されている。
【００８６】
電流印加用電極対３５は、臍７２を基点に電流印加用電極対３１と左右対称の関係となるように設けられている。すなわち、電流印加用電極３５Ａは右脇腹７１Ｃ付近かつ胸骨面ＸＳの下側に配置されている。また、電流印加用電極３５Ｂは左脇腹７１Ｄ付近かつ腰骨面ＸＨの上側に配置されている。
【００８７】
電流印加用電極対３６は、縦方向Ｙにおいて電流印加用電極対３５の内側かつ、臍７２を基点に電流印加用電極対３４と左右対称の関係となるように設けられている。すなわち、電流印加用電極３６Ａは右脇腹７１Ｃかつ胸骨面ＸＳの付近かつ電流印加用電極３５Ａよりも下側に配置されている。また、電流印加用電極３６Ｂは左脇腹７１Ｄかつ腰骨面ＸＨの付近かつ電流印加用電極３５Ｂよりも上側に配置されている。
【００８８】
各電極３１Ａ，３４Ａ，３５Ｂ，３６Ｂは、横方向Ｘにおける位置がいずれも一致している。また、各電極３１Ｂ，３４Ｂ，３５Ａ，３６Ａは、横方向Ｘにおける位置がいずれも一致している。また、各電極対３１，３４，３５，３６の中間位置はいずれも臍７２の位置と一致している。
【００８９】
以下では、電流印加用電極３１Ａと電流印加用電極３１Ｂとを結ぶ線を「電極間線Ａ１」とする。また、電流印加用電極３４Ａと電流印加用電極３４Ｂとを結ぶ線を「電極間線Ａ４」とする。また、電流印加用電極３５Ａと電流印加用電極３５Ｂとを結ぶ線を「電極間線Ａ５」とする。また、電流印加用電極３６Ａと電流印加用電極３６Ｂとを結ぶ線を「電極間線Ａ６」とする。また、電流印加用電極３１Ａ，３４Ａ，３５Ｂ，３６Ｂを通り体幹軸ＣＢと平行な線を基準線ＬＡとする。また、電流印加用電極３１Ｂ，３４Ｂ，３５Ａ，３６Ａを通り体幹軸ＣＢと平行な線を基準線ＬＢとする。
【００９０】
ここで、腹部７１及び腰部７３まわりの体表面を背部７１Ｂの中央において体幹軸ＣＢと平行な線により切断し、これを平面上に展開した展開図を想定する。
上記展開図上において、電極間線Ａ１，Ａ４，Ａ５，Ａ６はいずれも体幹軸ＣＢに対して傾斜している。すなわち、各電流印加用電極対３１，３４，３５，３６を構成する一対の電極は、横方向Ｘ及び縦方向Ｙにおいて互いに異なる位置に設けられている。
【００９１】
電圧測定用電極対４２は、電極間範囲Ｒ１内において電極対４２の中間位置が各電流印加用電極対３１，３４，３５，３６の中間位置と一致するように配置されている。また、各電極４２Ａ，４２Ｂ間を結ぶ線が胸骨面ＸＳ及び腰骨面ＸＨに対して平行となるように配置されている。
【００９２】
以上詳述したように、本実施形態によれば上記各実施形態の（１）〜（８）及び（１１）の効果に加えて以下の効果を奏することができる。
（１２）本実施形態では、各電流印加用電極対３１，３４，３５，３６の中間位置が被測定体７０の臍７２位置と一致するように設けられている。このため、臍７２の周囲の体脂肪８０の体積をより正確に測定することができる。すなわち、被測定体７０内の内臓脂肪８２の量が同じときにも、内臓脂肪８２が表層に近い部位に多く分布している場合と中心に近い部位に多く分布している場合とでは、検出されるインピーダンスが異なるため精度に影響する。この点、本実施形態のように１つの電圧測定用電極対４２に対して複数の方向に電流を流すことにより、体脂肪８０、特に内臓脂肪８２が表層に近い部位に多く分布しているのか、または中心に近い部位に多く分布しているのかを精度よく測定することができる。
【００９３】
（第５実施形態）
図１０を参照して、本発明の第５実施形態について説明する。
本実施形態では、第１実施形態の検出部２１の電圧測定用電極の配置を変更している。以下にこの変更された部分についての詳細を示す。なお、その他の点については第１実施形態と同様の構成が採用されているため、共通する構成については同一の符号を付してその説明を省略する。
【００９４】
図１０に示されるように、検出部２１は、３つの電圧測定用電極対４２，４５，４６を含めて構成されている。電圧測定用電極対４２は、電極４２Ａ，４２Ｂにより構成されている。電圧測定用電極対４５は、電極４５Ａ，４５Ｂにより構成されている。電圧測定用電極対４６は、電極４６Ａ，４６Ｂにより構成されている。
【００９５】
電圧測定用電極対４２は、体幹軸ＣＢを介して左半身及び右半身のそれぞれに設けられている。すなわち、電圧測定用電極４２Ａ，４２Ｂは縦方向Ｙにおいて臍７２と対応する位置、かつ横方向Ｘにおいてそれぞれ臍７２の右側及び左側に配置されている。
【００９６】
電圧測定用電極対４５は、電圧測定用電極対４２よりも上側において体幹軸ＣＢを介して左半身及び右半身のそれぞれに設けられている。すなわち、電圧測定用電極４５Ａ，４５Ｂは縦方向Ｙにおいて電極間線Ａ１よりも上側の胸骨面ＸＳ付近の位置、かつ横方向Ｘにおいてそれぞれ体幹軸ＣＢの右側及び左側に配置されている。
【００９７】
電圧測定用電極対４６は、電圧測定用電極対４２よりも下側において体幹軸ＣＢを介して左半身及び右半身のそれぞれに設けられている。すなわち、電圧測定用電極４６Ａ，４６Ｂは縦方向Ｙにおいて電極間線Ａ１よりも下側の腰骨面ＸＨ付近の位置、かつ横方向Ｘにおいてそれぞれ体幹軸ＣＢの右側及び左側に配置されている。
【００９８】
各電圧測定用電極対４２，４５，４６は、電極間範囲Ｒ１内において電極対の中間位置が電流印加用電極対３１の中間位置と一致するように配置されている。また、各電極間を結ぶ線が胸骨面ＸＳ及び腰骨面ＸＨに対して平行となるように配置されている。
【００９９】
以上詳述したように、本実施形態によれば上記各実施形態の（１）〜（８）の効果に加えて以下の効果を奏することができる。
（１３）本実施形態では、各電圧測定用電極対４２，４５，４６が体幹軸ＣＢに沿う方向に並べられている。このため、電流印加用電極対３１の間のさまざまな位置での電圧測定を行うことができる。従って、より正確に体脂肪８０の体積を測定することができる。
【０１００】
（１４）本実施形態では、電圧測定用電極対４５を胸骨面ＸＳの付近に配置するとともに、電圧測定用電極対４６を腰骨面ＸＨの付近に配置している。すなわち、電圧測定用電極対４５，４６は電流が流れる領域の外縁に近い位置に配置されている。これにより、電流が流れる領域の外縁近くの電圧を含む電圧を測定することができるため、より精度のよい測定が可能となる。
【０１０１】
（１５）本実施形態では、１つの電流印加用電極対３１の間に複数の電圧測定用電極対４２，４５，４６を備えている。従って、電極対を構成する電極の組み合わせを測定目的に応じて選択及び切り替えることができる。
（第６実施形態）
図１１を参照して、本発明の第６実施形態について説明する。
【０１０２】
本実施形態では、第１実施形態の検出部２１の電流印加用電極及び電圧測定用電極の配置を変更している。以下にこの変更された部分についての詳細を示す。なお、その他の点については第１実施形態と同様の構成が採用されているため、共通する構成については同一の符号を付してその説明を省略する。
【０１０３】
図１１に示されるように、検出部２１は、２つの電流印加用電極対３７，３８及び２つの電圧測定用電極対４７，４８を含めて構成されている。
電流印加用電極対３７は、電流印加用電極３７Ａ，３７Ｂにより構成されている。電極３７Ａは、右半身において胸骨下端部７６付近かつ胸骨下端部７６の右側かつ胸骨面ＸＳ付近かつ胸骨面ＸＳよりも下側に配置されている。電極３７Ｂは右半身において右脇腹７１Ｃに近い前部７１Ａかつ腰骨面ＸＨ付近かつ腰骨面ＸＨよりも上側に配置されている。
【０１０４】
電流印加用電極対３８は、電流印加用電極３８Ａ，３８Ｂにより構成されている。電極３８Ａは、左半身において胸骨下端部７６付近かつ胸骨下端部７６の左側かつ胸骨面ＸＳ付近かつ胸骨面ＸＳよりも下側に配置されている。電極３８Ｂは左半身において左脇腹７１Ｄに近い前部７１Ａかつ腰骨面ＸＨ付近かつ腰骨面ＸＨよりも上側に配置されている。
【０１０５】
電圧測定用電極対４７は、電圧測定用電極４７Ａ，４７Ｂにより構成されている。電極４７Ａ，４７Ｂはそれぞれ右半身に設けられている。電圧測定用電極対４８は、電圧測定用電極４８Ａ，４８Ｂにより構成されている。電極４８Ａ，４８Ｂはそれぞれ左半身に設けられている。
【０１０６】
以下では、電流印加用電極３７Ａと電流印加用電極３７Ｂとを結ぶ線を「電極間線Ａ７」とする。また、電流印加用電極３８Ａと電流印加用電極３８Ｂとを結ぶ線を「電極間線Ａ８」とする。また、電流印加用電極３７Ａを通り体幹軸ＣＢと平行な線を基準線ＬＦとする。また、電流印加用電極３７Ｂを通り体幹軸ＣＢと平行な線を基準線ＬＧとする。また、電流印加用電極３８Ａを通り体幹軸ＣＢと平行な線を基準線ＬＨとする。また、電流印加用電極３８Ｂを通り体幹軸ＣＢと平行な線を基準線ＬＩとする。
【０１０７】
ここで、腹部７１及び腰部７３まわりの体表面を背部７１Ｂの中央において体幹軸ＣＢと平行な線により切断し、これを平面上に展開した展開図を想定する。
上記展開図上において、電極間線Ａ７，Ａ８はいずれも体幹軸ＣＢに対して傾斜している。すなわち、各電流印加用電極対３７，３８を構成する一対の電極は、横方向Ｘ及び縦方向Ｙにおいて互いに異なる位置に設けられている。また電流印加用電極３７Ａ，３７Ｂは、縦方向Ｙにおいて同じ位置、かつ臍７２との距離が同じものとなる位置に設けられている。また電流印加用電極３８Ａ，３８Ｂは、縦方向Ｙにおいて同じ位置、かつ臍７２との距離が同じものとなる位置に設けられている。これにより、電極３７Ａ，３７Ｂ及び電極３８Ａ，３８Ｂはそれぞれ臍７２を中心に左右対称の位置関係にある。
【０１０８】
上記展開図において基準線ＬＦと基準線ＬＧとの間を「電極間範囲Ｒ４」とし、基準線ＬＨと基準線ＬＩとの間を「電極間範囲Ｒ５」としたとき、各電圧測定用電極対４７，４８の配置は次のように説明することができる。
【０１０９】
電圧測定用電極対４７は、上記展開図上において電極間範囲Ｒ４内に配置されている。すなわち、電圧測定用電極４７Ａ，４７Ｂはいずれも電極間範囲Ｒ４内に配置されている。また、各電極４７Ａ，４７Ｂは電極間線Ａ７上に配置されている。また、電圧測定用電極対４７の中間位置は電流印加用電極対３７の中間位置と一致している。
【０１１０】
電圧測定用電極対４８は、上記展開図上において電極間範囲Ｒ５内に配置されている。すなわち、電圧測定用電極４８Ａ，４８Ｂはいずれも電極間範囲Ｒ５内に配置されている。また、各電極４８Ａ，４８Ｂは電極間線Ａ８上に配置されている。また、電圧測定用電極対４８の中間位置は電流印加用電極対３８の中間位置と一致している。
【０１１１】
測定者の操作により体脂肪８０の測定が開始されたとき、まず電流印加用電極対３７の間で電流が流され、次に電流印加用電極対３８の間で電流が流される。そして、電圧測定用電極対４７，４８により測定された電圧値に基づいて各電極３７Ａ，３７Ｂ，３８Ａ，３８Ｂの間、およびこれら電極３７Ａ，３７Ｂ，３８Ａ，３８Ｂ付近の体脂肪８０の量として体脂肪８０の体積が算出される。そして、この算出結果に基づいて表示部２３に体脂肪８０の体積が表示される。なお、電圧測定用電極対４７の測定電圧は右半身の体脂肪８０を大きく反映した値として、また電圧測定用電極対４８の測定電圧は左半身の体脂肪８０を大きく反映した値としてそれぞれ体脂肪８０の算出に用いられる。
【０１１２】
以上詳述したように、本実施形態によれば上記第１実施形態の体脂肪８０の体積を正確に測定することができる旨の効果、及び（１）〜（８）及び（１０）及び（１１）に準じた効果を奏することができる。
【０１１３】
（第７実施形態）
図１２を参照して、本発明の第７実施形態について説明する。
本実施形態では、第２実施形態の測定部２０を変更している。以下にこの変更された部分についての詳細を示す。なお、その他の点については第２実施形態と同様の構成が採用されているため、共通する構成については同一の符号を付してその説明を省略する。
【０１１４】
図１２に示されるように、ベルト部１１には、被測定体７０に対して電圧測定用電極４２Ａ，４２Ｂを縦方向Ｙに移動させるための可動部１４が設けられている。可動部１４は、測定部２０上において各電圧測定用電極４２Ａ，４２Ｂをスライドさせるためのレールを含めて構成されている。電圧測定用電極４２Ａと電圧測定用電極４２Ｂとは、接続部１５により互いに接続されている。接続部１５が測定者により操作されたとき、接続部１５の移動にともない各電極４２Ａ，４２Ｂが対応する可動部１４上を移動する。測定者は、縦方向Ｙにおいての可動部１４の上端位置から下端位置までの間で各電極４２Ａ，４２Ｂを移動させることができる。なお、電圧の測定時には各電極４２Ａ，４２Ｂが可動部１４に固定される。
【０１１５】
以上詳述したように、本実施形態によれば上記各実施形態の（１）〜（８）の効果及び（１４）に準じた効果に加えて以下の効果を奏することができる。
（１６）本実施形態では、電圧測定用電極４２Ａ，４２Ｂを被測定体７０上において移動させるための可動部１４を設けているため、複数の電圧測定用電極対を備えなくとも体表面上のさまざまな位置で電圧を測定することができる。
【０１１６】
（１７）本実施形態では、電圧測定用電極４２Ａと電圧測定用電極４２Ｂとを接続部１５により接続している。このため、電圧測定用電極４２Ａと電圧測定用電極４２Ｂとの相対的な位置関係を一定に維持したまま体表面上のさまざまな位置で電圧を測定することができる。
【０１１７】
（第８実施形態）
図１３を参照して、本発明の第８実施形態について説明する。
本実施形態では、第１実施形態の測定部２０を変更している。以下にこの変更された部分についての詳細を示す。なお、その他の点については第１実施形態と同様の構成が採用されているため、共通する構成については同一の符号を付してその説明を省略する。
【０１１８】
図１３（ａ）に示されるように、測定部１２０には、電流印加用電極及び電圧測定用電極をそれぞれ取り付け及び取り外し可能な複数の配置部１６が設けられている。配置部１６としては、縦方向Ｙに５列及び横方向Ｘに５列の計２５個が設けられている。
【０１１９】
配置部１６には、制御部５０に接続される伝達線２４が接続されている。各配置部１６に電流印加用電極及び電圧測定用電極が嵌め込まれたとき、電流印加用電極及び電圧測定用電極が伝達線２４と接続される。以下、電流印加用電極及び電圧測定用電極の配置態様の例を示す。
【０１２０】
図１３（ｂ）に示されるように、電流印加用電極３９Ａを右側端部且つ上側端部の位置に配置する。また、電流印加用電極３９Ｂを左側端部且つ下側端部の位置に配置する。また、電圧測定用電極４９Ａを電極３９Ａよりも下側且つ左側に配置する。また、電圧測定用電極４９Ｂを電極３９Ｂよりも上側且つ右側に配置する。このとき、各電流印加用電極により１つの電流印加用電極対３９が構成され、各電圧測定用電極により１つの電圧測定用電極対４９が構成される。なお、この電極配置は第１実施形態の電極配置に相当する。
【０１２１】
図１３（ｃ）に示されるように、４つの電流印加用電極３９Ｃ，３９Ｄ，３９Ｅ，３９Ｆを右側端部の縦方向Ｙの配置部１６の列にそれぞれ配置する。また、４つの電流印加用電極３９Ｇ，３９Ｈ，３９Ｉ，３９Ｊを左側端部の縦方向Ｙの配置部１６の列にそれぞれ配置する。また、横方向Ｘ及び縦方向Ｙにおいて各電流印加用電極の内側の位置、かつ電極間の中間位置が各電流印加用電極の電極間の中間位置と一致するように各電圧測定用電極４９Ｃ，４９Ｄを配置部１６に配置する。このとき、各電流印加用電極により４つの電流印加用電極対３９が構成され、各電圧測定用電極により１つの電圧測定用電極対４９が構成される。なお、この電極配置は第４実施形態の電極配置に相当する。
【０１２２】
以上詳述したように、本実施形態によれば上記各実施形態の（１）〜（１５）の効果に準じた効果に加えて以下の効果を奏することができる。
（１８）本実施形態では、ベルト部１１に電流印加用電極及び電圧測定用電極を取り付け及び取り外し可能な配置部１６が設けられている。これにより、１つの体脂肪測定装置１０で複数の電極の数及び配置を選択できるため、測定の自由度を高めることができる。
【０１２３】
（その他の実施形態）
なお、本発明の実施態様は上記実施形態に限られるものではなく、例えば以下に示す態様をもって実施することもできる。また以下の各変形例は、上記実施形態についてのみ適用されるものではなく、異なる変形例同士を互いに組み合わせて実施することもできる。
【０１２４】
・上記第１実施形態では、電極間線Ａ１上に電圧測定用電極対４１が配置されるようにしたが、例えば図１４に示されるように電極間線Ａ１よりも上側に電極対４１を配置することもできる。また、電極間線Ａ１よりも下側に電圧測定用電極対を配置することもできる。
【０１２５】
・上記第１実施形態では、各電極３１Ａ，４１Ａ，４１Ｂ，３１Ｂの間隔を同じ大きさにしたが、電極間の間隔をこれとは異なる大きさに変更することもできる。その例としては以下のものが挙げられる。
・各電極３１Ａ，３１Ｂの間隔を第１実施形態の間隔よりも小さくする。
・各電極３１Ａ，３１Ｂの間隔を第１実施形態の間隔よりも大きくする。
・各電極４１Ａ，４１Ｂの間隔を第１実施形態の間隔よりも小さくする。
・各電極４１Ａ，４１Ｂの間隔を第１実施形態の間隔よりも大きくする。
【０１２６】
・上記第２実施形態では、電圧測定用電極４２Ａ，４２Ｂの縦方向Ｙの位置が同じとなるように各電極４２Ａ，４２Ｂを配置したが、例えば図１５に示されるように、電圧測定用電極対４２が体幹軸ＣＢに対して傾斜するように各電極４２Ａ，４２Ｂを配置することもできる。また、図１５に示されるものとは別に、電圧測定用電極対４２が体幹軸ＣＢに対して平行となるように各電極４２Ａ，４２Ｂを配置することもできる。
【０１２７】
・上記第３実施形態では、電圧測定用電極対４３及び電極対４４により右半身及び左半身のそれぞれの体脂肪８０を測定したが、一方の電極対による半身の測定結果に基づいて他方の半身の体脂肪を推定することもできる。また、一方の半身の測定結果に基づいて全体の体脂肪量を推定することもできる。
【０１２８】
・上記第３実施形態では、体脂肪８０を測定するとき、電流印加用電極対３２及び電流印加用電極対３３の順に電流を流すようにしたが各電極対３２，３３に同時に電流を流すこともできる。
【０１２９】
・上記第３実施形態では、共用化された電流印加用電極３２Ａから電流印加用電極３２Ｂ，３３Ｂに向けて電流が流れるようにしたが、電流印加用電極３２Ｂ，３３Ｂから電流印加用電極３２Ａに向けて電流が流れるようにすることもできる。
【０１３０】
・上記第４実施形態では、各電流印加用電極対３１，３４，３５，３６の一対の電極をそれぞれ基準線ＬＡ及びＬＢ上に配置したが、少なくとも１つの電極対について基準線ＬＡ及びＬＢとは異なるところに一対の電極を配置することもできる。
【０１３１】
・上記第４実施形態では、各電流印加用電極対３１，３４，３５，３６の電極間範囲Ｒ１の大きさが同じになるように電極を配置したが、各電極対の電極間範囲の大きさが互いに異なるように電極を配置することもできる。
【０１３２】
・上記第４実施形態では、４つの電流印加用電極対３１，３４，３５，３６を設けるようにしたが、電極対の数を５つ以上に変更することもできる。また、４つの電極対３１，３４，３５，３６のうち、１つまたは２つまたは３つの電極対を省略することもできる。
【０１３３】
・上記第５実施形態では、各電圧測定用電極対４２，４５，４６を体幹軸ＣＢに沿って配列し、かつ縦方向Ｙにおいての電極対の間隔を同じものに設定したが、各電極対の配置態様を例えば次のように変更することもできる。すなわち、電極対４２及び電極対４５の縦方向Ｙの間隔と、電極対４２及び電極対４６の縦方向Ｙの間隔とを互いに異なる大きさに設定することもできる。また、３つの電極対の少なくとも１つの中間位置を体幹軸ＣＢと一致しないところに変更することもできる。
【０１３４】
・上記第５実施形態では、３つの電圧測定用電極対４２，４５，４６を設けたが、電圧測定用電極対の数を４つ以上に変更することもできる。または、３つの電極対４２，４５，４６のうちの１つまたは２つの電極対を省略することもできる。
【０１３５】
・上記第７実施形態では、電圧測定用電極４２Ａ，４２Ｂが接続部１５により接続されて、一体となって可動するようにしたが、電圧測定用電極４２Ａ，４２Ｂが個々に移動できるようにしてもよい。
【０１３６】
・上記第７実施形態では、電圧の測定時には各電極４２Ａ，４２Ｂが可動部１４に固定されるようにしたが、各電極４２Ａ，４２Ｂを可動部１４のレールに沿って被測定体７０上を移動させながら測定することもできる。
【０１３７】
・上記第９実施形態では、図１３に示される数及び配列で複数の配置部１６を設けたが、配置部１６の数及び配列はこれに限らず適宜変更することができる。
・上記第９実施形態では、電極の取り付け及び取り外しが可能な複数の配置部１６を測定部２０に設けることにより、電極の配置の自由度を高めるようにしたが、このための構成は同実施形態に例示した構成に限られるものではない。例えば、測定部２０及び各電極に互いに係合するフックを設け、このフックにより測定部２０に対する電極の取り付け及び取り外しを可能にすることもできる。
【０１３８】
・上記第１、２及び５実施形態では、電流印加用電極３１Ａを左半身に配置しかつ電流印加用電極３１Ｂを右半身に配置したが、縦方向Ｙの位置を各実施形態のものに維持したうえで、電極３１Ａを右半身に配置しかつ電極３１Ｂを左半身に配置することもできる。
【０１３９】
・上記第１、２及び５実施形態では、電流印加用電極３１Ａを電流印加用電極３１Ｂよりも縦方向Ｙの上側に配置したが、横方向Ｘの位置を各実施形態のものに維持したうえで、電極３１Ａを電極３１Ｂよりも下側に配置することもできる。
【０１４０】
・上記各実施形態では、電流印加用電極対及び電圧測定用電極対の中間位置が一致するようにこれら電極対を配置したが、電流印加用電極対及び電圧測定用電極対の中間位置が異なるようにこれら電極対を配置することもできる。
【０１４１】
・上記実施形態では、ベルト部１１と測定部２０とを含めて体脂肪測定装置１０を構成したが、ベルト部１１を省略することもできる。または、ベルト部１１に代えて測定者が保持するための棒や板を測定部２０に取り付けて体脂肪測定装置１０を構成することもできる。
【０１４２】
・上記各実施形態では、目印部１２を胸骨下端部７６及び腰骨部７４に合わせるようにしたが、臍７２または背骨７７に対応した目印部を設けて、この目印部を臍７２または背骨７７に合わせることもできる。
【０１４３】
・上記各実施形態では、胸骨下端部７６及び腰骨部７４に対して直接的に位置を合わせる目印部１２を設けたが、ベルト部１１から上側に向けて突出した目盛部を設けるとともに、この目盛部を用いて胸骨下端部７６からベルト部１１の上端部までの距離を合わせることもできる。
【０１４４】
・上記各実施形態では、体脂肪８０の測定結果としての内臓脂肪８２の体積を三次元画像で表示部２３に表示するようにしたが、体脂肪８０の測定結果を数値で表示することもできる。この場合の例の１つとして、「腹部右：５０ｃｍ３、腹部上：３０ｃｍ３」のように被測定体７０の部位毎に内臓脂肪８２の体積を表示するものが挙げられる。
【０１４５】
・上記各実施形態では、測定された電圧に基づいて体脂肪量を算出し、これを表示部２３に表示するようにしたが、測定電圧を直接的に表示部２３に表示することもできる。
・上記各実施形態では、体脂肪８０の測定結果を表示部２３に表示するようにしたが、測定者に対して測定結果を伝達するための方法はこれに限らない。例えば、表示部２３に加えてまたは表示部２３に代えて、測定者に対して音声により測定結果を伝達する音声部を備えることもできる。
【０１４６】
・上記各実施形態では、電極材としてＳＵＳ及び樹脂材表面を金属めっき処理したものを用いたが、これに代えてゲル材を用いることもできる。
・上記各実施形態では、操作部２２及び表示部２３及び制御部５０をベルト部１１に設けるようにしたが、操作部２２及び表示部２３及び制御部５０をベルト部１１とは別に設けることもできる。
【０１４７】
・上記各実施形態では、測定部２０に電源を内蔵するようにしたが、体脂肪測定装置１０の外部から電源の供給を受けるようにすることもできる。
・上記各実施形態では、測定方法の例として被測定体７０が立位にある状態での測定方法を示したが、被測定体７０が座位または仰臥位にある状態でも上記各実施形態での測定方法に準じて体脂肪８０の測定を行うことができる。
【０１４８】
・上記各実施形態では、胸骨面ＸＳから腰骨面ＸＨにかけての体脂肪８０を測定する体脂肪測定装置１０として本発明を具体化したが、体幹の他の部位（例えば胸部や腰）の体脂肪を測定する装置として、または腕や脚などの体肢の体脂肪を測定する装置として本発明を具体化することもできる。なお、このときには、上記各実施形態の体脂肪測定装置１０を体幹の他の部位または体肢に応じた大きさ形状に変更することにより、体幹の他の部位または体肢の体脂肪を測定することができる。また、体肢の体脂肪を測定する場合には、測定位置の基準の一つとして体幹軸ＣＢに代えて体肢の長手方向に沿う体肢軸が用いられる。
【０１４９】
・上記各実施形態では、測定対象の例として人体を示したが、動物を測定対象とすることもできる。
【符号の説明】
【０１５０】
１０…体組成測定装置、１１…ベルト部（本体部）、１１Ａ…背面、１１Ｂ…前面、１２，１２Ａ，１２Ｂ…目印部、１３…ファスナ、１４…可動部、１５…接続部、１６…配置部、２０，１２０…測定部、２１…検出部、２２…操作部、２３…表示部（表示手段）、２４…伝達線、３１〜３９…電流印加用電極対、３１Ａ，３１Ｂ，３２Ａ，３２Ｂ，３３Ｂ，３４Ａ，３４Ｂ，３５Ａ，３５Ｂ，３６Ａ，３６Ｂ，３７Ａ，３７Ｂ，３８Ａ，３８Ｂ，３９Ａ〜３９Ｊ…電流印加用電極、４１〜４９…電圧測定用電極対、４１Ａ，４１Ｂ，４２Ａ，４２Ｂ，４３Ａ，４３Ｂ，４４Ａ，４４Ｂ，４５Ａ，４５Ｂ，４６Ａ，４６Ｂ，４７Ａ，４７Ｂ，４８Ａ，４８Ｂ，４９Ａ〜４９Ｄ…電圧測定用電極、５０…制御部（算出手段）、７０…被測定体、７１…腹部、７１Ａ…前部、７１Ｂ…背部、７１Ｃ…右脇腹、７１Ｄ…左脇腹、７２…臍、７３…腰部、７４…腰骨部、７５…胸部、７６…胸骨下端部、７７…背骨、８０…体脂肪、８１…皮下脂肪、８２…内臓脂肪、８３…筋肉。
【図１】
0005433474.tif 000002
【図２】
0005433474.tif 000003
【図３】
0005433474.tif 000004
【図４】
0005433474.tif 000005
【図５】
0005433474.tif 000006
【図６】
0005433474.tif 000007
【図７】
0005433474.tif 000008
【図８】
0005433474.tif 000009
【図９】
0005433474.tif 000010
【図１０】
0005433474.tif 000011
【図１１】
0005433474.tif 000012
【図１２】
0005433474.tif 000013
【図１３】
0005433474.tif 000014
【図１４】
0005433474.tif 000015
【図１５】
0005433474.tif 000016